【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】  調節可能な眼内レンズ（３２）において、
通常の前側部及び後側部を有する可撓性のレンズ本体（３３）であって、一つの中実な両凸の可撓性の光学素子（４３、１２０２）を有するレンズ本体を含み、
前記レンズ本体は、眼の毛様体の収縮により前記レンズが前方に動くことができるように、前記光学素子から半径方向に延びる２つまたそれ以上の延長部（１２０４）を有し、
前記レンズが、毛様体筋（２８）の収縮が虹彩の後方の被膜房内の前記レンズをその収縮をもって虹彩（１８）に向かって前方に動かすように、眼（２０）の被膜房内に移植される大きさであり、
前記延長部が、前記光学素子に連結される内端及び自由な外端にて横方向に延びる可撓性の固定フィンガー（１２０８、１３１２、１３５８）を有する部材（１２０６、１３１０、１３５４）を含む、調節可能な眼内レンズ。
【請求項２】  請求項１記載の調節可能な眼内レンズ（３２）において、
各固定フィンガー（１２０８）の外部端に開口部が画定される、調節可能な眼内レンズ。
【請求項３】  請求項１記載の眼内レンズ（３２）において、
前記レンズは、被膜房の壁を通して毛様体筋（２８）に接触しない大きさである、調節可能な眼内レンズ。
【請求項４】  請求項１または２記載の調節可能な眼内レンズ（３２）において、
前記レンズは、被膜房の壁を通して毛様体に接触するような大きさである、調節可能な眼内レンズ。
【請求項５】  請求項１記載の調節可能な眼内レンズ（３２）において、
前記レンズは、前方及び後方に動くことができる、調節可能な眼内レンズ。
【請求項６】  請求項１記載の調節可能な眼内レンズ（３２）において、
前記延長部（１２０４）の外端は、前記光学素子（３４、１２０２）に対して前方及び後方に動くことができる、調節可能な眼内レンズ。
【請求項７】  請求項１記載の調節可能な眼内レンズ（３２）において、
内部の弾性的な撓みが前記レンズを前方へ動かす、調節可能な眼内レンズ。
【請求項８】  請求項１記載の調節可能な眼内レンズ（３２）において、
後方被膜の弾性が前記レンズを前方へ動かす、調節可能な眼内レンズ。
【請求項９】  請求項１記載の調節可能な眼内レンズにおいて、
毛様体筋の収縮および弛緩によって、前記光学素子（３４、１２０２）は、前方及び後方に動くことができる、調節可能な眼内レンズ。
【請求項１０】  請求項９記載の調節可能な眼内レンズにおいて、
前記光学素子（３４、１２０２）は、眼の軸線に沿って、前記延長部の前記外端に対して動くことができる、調節可能な眼内レンズ。
【請求項１１】  請求項１記載の調節可能な眼内レンズにおいて、
前記眼内レンズは一平面上にある、調節可能な眼内レンズ。
【請求項１２】  請求項１記載の調節可能な眼内レンズにおいて、
前記眼内レンズは前方にアーチ状になっている、調節可能な眼内レンズ。
【請求項１３】  請求項１記載の調節可能な眼内レンズにおいて、
前記眼内レンズは後方にアーチ状になっている、調節可能な眼内レンズ。
【請求項１４】  請求項１記載の調節可能な眼内レンズにおいて、
前記眼内レンズは複数平面上にある、調節可能な眼内レンズ。
【請求項１５】  請求項１記載の調節可能な眼内レンズ（３２）において、
前記眼内レンズは複数の異なる材料で作られている、調節可能な眼内レンズ。
【請求項１６】  請求項１記載の調節可能な願内レンズ（３２）において、
前記延長部は板触覚部分（１２０６）である、調節可能な願内レンズ。
【請求項１７】  請求項１記載の調節可能な眼内レンズ（３２）において、
前記延長部は、ヒンジ（１２１０）を有する板触覚部分（１２０６）である、調節可能な眼内レンズ。
【請求項１８】  請求項１記載の調節可能な願内レンズ（３２）において、
前記延長部は、前記光学素子に隣接する板接続部が狭くなっている板触覚部分（１２０６）である、調節可能な眼内レンズ。
【請求項１９】  請求項１記載の調節可能な願内レンズ（３２）において、
毛様体筋（２８）の収縮によって、近視野に対して、前記眼内レンズの光学素子（３４、１２０２）が被膜房（２０）内で虹彩に向かって前方に動くようになっている、調節可能な眼内レンズ。
【請求項２０】  請求項１記載の調節可能な眼内レンズ（３２）において、
前記延長部は、直径方向に対向する４つの構造を含む、調節可能な眼内レンズ。
【請求項２１】  請求項１記載の調節可能な眼内レンズ（３２）において、
前記延長部が板触覚部分（１２０６）であり、その外端に、一方の面または両方の面に隆起する肩部を有する、調節可能な眼内レンズ。
【請求項２２】  請求項１記載の調節可能な眼内レンズ（３２）において、
前記２つまたはそれ以上の延長部は板触覚部分（１２０６）であり、前記板触覚部分が、前記光学素子（１２１０）に隣接して前記板触角部分を横切る溝を有する、調節可能な眼内レンズ。
【請求項２３】  請求項１記載の調節可能な眼内レンズ（３２）において、
前記延長部は、その外端の角部分にノブを有する、調節可能な眼内レンズ。
【請求項２４】  請求項１記載の調節可能な眼内レンズ（３２）において、
前記２つまたはそれ以上の延長部は、ループを有する横向きの固定手段を備える、調節可能な眼内レンズ。
【請求項２５】  請求項１記載の調節可能な眼内レンズ（３２）において、
前記２つまたはそれ以上の延長部は、開口（１２０９）を有する横向きの固定手段を備える、調節可能な眼内レンズ。
【請求項２６】  請求項１記載の調節可能な眼内レンズ（３２）において、
前記延長部が、横方向に延びる可撓性の固定フィンガー（１２０８）を有する、ヒンジ付きの板触覚部分（１２０６）を有する、調節可能な眼内レンズ。
【請求項２７】  請求項１記載の調節可能な眼内レンズ（３２）において、
前記レンズが、横方向に延びる可撓性の固定フィンガー（１２０８）を外端に有する板触覚部分（１２０６）を含む、ヒンジ付きの延長部を有し、前記フィンガーが前記触覚部分のプレートとは異なる材料で作られている、調節可能な眼内レンズ。
【請求項２８】  請求項１記載の調節可能な眼内レンズ（３２）において、
可撓性または比較的剛性のヒンジ付きの板触覚部分を有し、該板触覚部分は、その外端にアーチで接続される触覚部分開口を備える、調節可能な眼内レンズ。
【請求項２９】  請求項１記載の調節可能な眼内レンズ（３２）において、
前記延長部が、前記光学素子かた反対側に延びる二対の小さい触覚部分と、各対の触覚部分の間に延び前記触覚部分に固定されるループと、を有する、調節可能な眼内レンズ。
【請求項３０】  請求項１記載の調節可能な眼内レンズ（３２）において、
前記光学素子が前記延長部の外端に対して後方に配置される、調節可能な眼内レンズ。
【請求項３１】  請求項１記載の調節可能な眼内レンズ（３２）において、
前記延長部がその長さに亘って可撓性のプレートからなり、前記光学素子（３４、１２０２）が、前記プレートの外端に対して前方に配置される、調節可能な眼内レンズ。
【請求項３２】  請求項１記載の調節可能な眼内レンズ（３２）において、
前記延長部が、板触覚部分（１２０６）を含み、前記板触覚部分が該板触覚部分の前方に延びる突起を備える、調節可能な眼内レンズ。
【請求項３３】  請求項１記載の調節可能な眼内レンズ（３２）において、
前記延長部が、その外端に１またはそれ以上の弾性的なばねを有する板触覚部分（１２０６）を含む、調節可能な眼内レンズ。
【請求項３４】  請求項１記載の調節可能な眼内レンズ（３２）において、
前記光学素子が両凸である、調節可能な眼内レンズ。
【請求項３５】  請求項１記載の調節可能な眼内レンズ（３２）において、
前記光学素子が、比較的平坦な前部面と、小さい曲率半径を有する後部面と、を有する、調節可能な眼内レンズ。
【請求項３６】  請求項１記載の調節可能な眼内レンズ（３２）において、
前記レンズが、ヒンジを有する複数の比較的小さい延長部または触覚部分プレート（１２０６）を備え、ループが前記小さい板触覚部分の各対の間に延び且つ該小さい板触覚部分内に延びる、調節可能な眼内レンズ。
【請求項３７】  請求項１記載の調節可能な眼内レンズ（３２）において、
前記レンズが、ヒンジを有する複数の比較的小さい延長部または触覚部分プレート（１２０６）を備え、ループが前記小さい板触覚部分の各対の間に延び且つ各ループの端部にて該小さい板触覚部分内に延び、横断部から鋭角に延びる弧状横断部が設けられている、調節可能な眼内レンズ。
【請求項３８】  請求項１記載の調節可能な眼内レンズ（３２）において、
前記光学素子は、前方位置内から始まり、更に前方に動き且つ上記前方位置に戻ることができ、前記触覚部分の外端に対して前方におよび後方に動くようになっている、調節可能な眼内レンズ。
【請求項３９】  請求項１記載の調節可能な眼内レンズ（３２）において、
前記光学素子は、前記触覚部分の前記外端に対して後方に動き始め、前方に動き、前記触覚部分の前記外端に対して後方になり、そして調節のための最初の位置に戻るようになっている、調節可能な眼内レンズ。
【請求項４０】  請求項１記載の調節可能な眼内レンズ（３２）において、
前記光学素子は、前記触覚部分の前記外端に対して後方に動き始め、前方に動き、調節のための前記触覚部分の前記外端に対して前方の位置になるようにされている、調節可能な眼内レンズ。